(57)【要約】【課題】  簡易な構成で所期のアンテナ特性を得ることが出来る通信端末機を提供する。【解決手段】  本発明に係る通信端末機においては、互いにスライド可能に係合する第１筐体１と第２筐体２からなるケーシングの内部に、高周波回路を内蔵したシールドシャーシ６が設置されると共に、２つの回路基板３、４を互いに接続するフレキシブルリードシート５が収容され、該フレキシブルリードシート５は、少なくとも長手方向の一部領域がシールドシャーシ６の表面に沿って伸びている。シールドシャーシ６の表面には絶縁シート７が貼着固定されて、厚さ０.１ｍｍ以上の絶縁層が形成されており、該絶縁層の表面にフレキシブルリードシート５の前記一部領域が接触している。【選択図】      図３
2006115048.tif 000002
【特許請求の範囲】
【請求項１】
ケーシングの内部に、高周波回路を内蔵したシールドシャーシ(６)が設置されると共に、２つの回路基板を互いに接続するフレキシブルリードシート(５)が収容され、該フレキシブルリードシート(５)は、少なくとも長手方向の一部領域が前記シールドシャーシ(６)の表面に沿って伸びている通信端末機において、前記シールドシャーシ(６)の表面には、厚さ０.１ｍｍ以上の絶縁層が形成されており、該絶縁層の表面にフレキシブルリードシート(５)の前記一部領域が接触していることを特徴とする通信端末機。
【請求項２】
前記絶縁層は、厚さが０.１ｍｍ〜０.５５ｍｍの範囲に形成されている請求項１に記載の通信端末機。
【請求項３】
前記絶縁層は、シールドシャーシ(６)の表面に絶縁シート(７)を貼着固定してなる請求項１又は請求項２に記載の通信端末機。
【請求項４】
前記ケーシングは、互いにスライド可能に係合する第１筐体(１)と第２筐体(２)から構成され、第１筐体(１)の内部に前記シールドシャーシ(６)が設置され、第１筐体(１)に内蔵された回路基板(３)と第２筐体(２)に内蔵された回路基板(４)とが前記フレキシブルリードシート(５)によって互いに接続されている請求項１乃至請求項３の何れかに記載の通信端末機。
【請求項５】
前記フレキシブルリードシート(５)は、前記絶縁層の表面にてＵ字状に屈曲し、第１筐体(１)と第２筐体(２)のスライドに伴って、フレキシブルリードシート(５)のＵ字状屈曲部の位置が前記絶縁層の表面に沿って移動する請求項４に記載の通信端末機。
【発明の詳細な説明】
【技術分野】
【０００１】
本発明は、ケーシングに高周波回路を内蔵した携帯電話機等の通信端末機に関するものである。
【背景技術】
【０００２】
従来、図１及び図２に示す如きスライド式携帯電話機が知られている。該スライド式携帯電話機においては、第１筐体(１)と第２筐体(２)が互いにスライド可能に係合し、第１筐体(１)の表面に複数の操作キー(11)が配備されると共に、第２筐体(２)の表面にディスプレイ(20)が配備され、第１筐体(１)に突設したアンテナ(10)によって送受信が可能となっている(特許文献１参照)。
【０００３】
この様なスライド式携帯電話機においては、図５(ａ)(ｂ)に示す如く、第１筐体(１)に回路基板(３)が内蔵されると共に、第２筐体(２)に回路基板(４)が内蔵され、両回路基板(３)(４)がフレキシブルリードシート(５)によって互いに連結されている。
即ち、第１筐体(１)内の回路基板(３)上に設置されたコネクター(31)と第２筐体(２)内の回路基板(４)上に設置されたコネクター(41)に対し、Ｕ字状に屈曲するフレキシブルリードシート(５)の両端部に設けられた端子部(51)(52)が連結されている。
【０００４】
又、回路基板(３)上には、高周波回路(図示省略)を内蔵したシールドシャーシ(６)が設置されている。シールドシャーシ(６)は、例えば合成樹脂製のケースに導電性の塗料を塗布したものである。
【０００５】
フレキシブルリードシート(５)は、第１筐体(１)内の回路基板(３)上のコネクター(31)に接続された端子部(51)からシールドシャーシ(６)の表面に沿って水平に伸び、Ｕ字状に屈曲しつつ第１筐体(１)に開設された窓(12)を通過し、１８０度折り返された後、第２筐体(２)のガイド面(22)に沿って水平に伸び、その先端に設けられた端子部(52)が、第２筐体(２)内の回路基板(４)上のコネクター(41)に接続されている。
第１筐体(１)に対して第２筐体(２)がスライドすると、フレキシブルリードシート(５)のＵ字状屈曲部の位置がシールドシャーシ(６)の表面に沿って移動し、スライドが許容される。
【０００６】
尚、フレキシブルリードシート(５)は、例えば図６に示す如く、信号線路を形成する厚さ１８μmの銅箔(53)の両側に厚さ２５μmの合成樹脂層(54)(54)を介して厚さ２０μmのシールド層(55)(55)を配備し、更にその両側に厚さ２０μmの合成樹脂層(56)(56)を配備した積層構造を有している。
【特許文献１】特開２００３−２９８６９９号公報
【発明の開示】
【発明が解決しようとする課題】
【０００７】
しかしながら、図５に示すスライド式携帯電話機においては、アンテナの位置や向き等によって、所期の送受信性能が得られない問題があった。これは、２つの回路基板を互いに接続するフレキシブルリードシートが周囲の金属物と高周波的に結合して、アンテナからの高周波信号が無用な経路に流れ込むことによって損失が発生し、アンテナ特性が劣化するためであると考えられる。
【０００８】
そこで本発明の目的は、簡易な構成で所期のアンテナ特性を得ることが出来る通信端末機を提供することである。
【課題を解決するための手段】
【０００９】
本発明に係る通信端末機においては、ケーシングの内部に、高周波回路を内蔵したシールドシャーシ(６)が設置されると共に、２つの回路基板を互いに接続するフレキシブルリードシート(５)が収容され、該フレキシブルリードシート(５)は、少なくとも長手方向の一部領域が前記シールドシャーシ(６)の表面に沿って伸びている。ここで、前記シールドシャーシ(６)の表面には、厚さ０.１ｍｍ以上の絶縁層が形成されており、該絶縁層の表面にフレキシブルリードシート(５)の前記一部領域が接触している。
【００１０】
具体的構成において、前記ケーシングは、互いにスライド可能に係合する第１筐体(１)と第２筐体(２)から構成され、第１筐体(１)の内部に前記シールドシャーシ(６)が設置され、第１筐体(１)に内蔵された回路基板(３)と第２筐体(２)に内蔵された回路基板(４)とが前記フレキシブルリードシート(５)によって互いに接続されている。
【００１１】
又、前記フレキシブルリードシート(５)は、前記絶縁層の表面にてＵ字状に屈曲し、第１筐体(１)と第２筐体(２)のスライドに伴って、フレキシブルリードシート(５)のＵ字状屈曲部の位置が前記絶縁層の表面に沿って移動する。
【００１２】
上記本発明の通信端末機においては、従来は互いに接触していたシールドシャーシ(６)の表面とフレキシブルリードシート(５)との間に、電気絶縁性を有する絶縁層が介在しているので、シールドシャーシ(６)の表面とフレキシブルリードシート(５)の間に、絶縁層の厚さに一致する間隙が設けられることになる。これによって、フレキシブルリードシート(５)とシールドシャーシ(６)の間の高周波的な結合が弱まり、アンテナ特性の劣化が抑制される。
【００１３】
ここで、絶縁層の厚さが０.１ｍｍ未満では殆ど効果は得られないが、絶縁層の厚さが０.１ｍｍを超えると、飛躍的に効果が増大する。そして、絶縁層の厚さが更に大きくなる程、効果は増大するが、その増大率は大きなものでなくなる。
従って、絶縁層の厚さは、０.１ｍｍ以上、０.５５ｍｍ以下が望ましい。
【発明の効果】
【００１４】
本発明に係る通信端末機によれば、シールドシャーシ(６)の表面に絶縁シート(７)を貼着する等の簡易な構成で所期のアンテナ特性を得ることが出来る。
【発明を実施するための最良の形態】
【００１５】
以下、本発明をスライド式携帯電話機に実施した形態につき、図面に沿って具体的に説明する。
本発明に係るスライド式携帯電話機は、図３(ａ)(ｂ)に示す如く、互いにスライド可能に係合する第１筐体(１)と第２筐体(２)を具え、第１筐体(１)に回路基板(３)が内蔵されると共に、第２筐体(２)に回路基板(４)が内蔵され、両回路基板(３)(４)がフレキシブルリードシート(５)によって互いに連結されている。
【００１６】
即ち、第１筐体(１)内の回路基板(３)上に設置されたコネクター(31)と第２筐体(２)内の回路基板(４)上に設置されたコネクター(41)に対し、Ｕ字状に屈曲するフレキシブルリードシート(５)の両端部に設けられた端子部(51)(52)が連結されている。
【００１７】
ここで、第１筐体(１)には、回路基板(３)上に、前記アンテナ(10)と繋がる高周波回路(図示省略)を内蔵したシールドシャーシ(６)が設置されている。
該シールドシャーシ(６)の表面には、厚さ０.１ｍｍのポリエステル基材からなる絶縁シート(７)が、厚さ０.０５ｍｍの粘着層(図示省略)を介して貼着固定されており、全厚０.１５ｍｍの絶縁層が形成されている。
【００１８】
絶縁シート(７)の表面は、回路基板(３)上のコネクター(31)に連結されたフレキシブルリードシート(５)の端子部(51)と同じ高さ位置を回路基板(３)と平行に伸びている。
一方、第２筐体(２)には、回路基板(４)上のコネクター(41)に連結されたフレキシブルリードシート(５)の端子部(52)と同じ高さ位置を回路基板(４)と平行に伸びるガイド面(22)が形成されている。
【００１９】
フレキシブルリードシート(５)は、第１筐体(１)内の回路基板(３)上のコネクター(31)に接続された端子部(51)からシールドシャーシ(６)上の絶縁シート(７)の表面に沿って水平に伸び、Ｕ字状に屈曲しつつ第１筐体(１)に開設された窓(12)を通過し、１８０度折り返された後、第２筐体(２)のガイド面(22)に沿って水平に伸び、その先端に設けられた端子部(52)が、第２筐体(２)内の回路基板(４)上のコネクター(41)に接続されている。
【００２０】
第１筐体(１)に対して第２筐体(２)がスライドすると、フレキシブルリードシート(５)のＵ字状屈曲部の位置が絶縁シート(７)の表面に沿って移動し、スライドが許容される。
【００２１】
上記スライド式携帯電話機においては、従来は互いに接触していたシールドシャーシ(６)の表面とフレキシブルリードシート(５)との間に、電気絶縁性を有する絶縁シート(７)及び粘着層が介在しているので、シールドシャーシ(６)の表面とフレキシブルリードシート(５)の間に、絶縁シート(７)及び粘着層の厚さＴに一致する間隙が設けられることになる。これによって、フレキシブルリードシート(５)とシールドシャーシ(６)の間の高周波的な結合が弱まり、アンテナ特性の劣化が抑制される。
【００２２】
ここで、絶縁シート(７)を有しない従来のスライド式携帯電話機と、絶縁シート(７)及び粘着層からなる絶縁層の厚さＴを０.１０ｍｍ、０.１５ｍｍ、０.２５ｍｍ及び０.５５ｍｍの４種類に変えた本発明のスライド式携帯電話機を対象として、アンテナ利得を測定したところ、図４及び下記表１に示す結果が得られた。
尚、粘着層の厚さは０.０５ｍｍである。又、フレキシブルリードシート(５)は、図６に示す従来と同様の積層構造を有し、シールド層(55)を覆う合成樹脂層(56)の厚さは２０μmである。
【００２３】
【表１】
2006115048.tif 000003
【００２４】
図４及び表１から明らかな様に、絶縁シート(７)を有しない従来のスライド式携帯電話機は、アンテナ特性の悪いものとなっている。これは、フレキシブルリードシート(５)がシールドシャーシ(６)の表面と直接に接触して高周波的な結合が生じていることによるものである。
これに対し、シールドシャーシ(６)の表面に絶縁シート(７)を貼着固定して、シールドシャーシ(６)とフレキシブルリードシート(５)の間に厚さ０.１０ｍｍの絶縁層を設けた本発明のスライド式携帯電話機では、飛躍的にアンテナ特性が向上している。そして絶縁シート(７)の厚さが更に大きくなる程、アンテナ特性は改善されるが、厚さ増大による効果は徐々に薄れてくる。
従って、絶縁シート(７)を含む絶縁層の厚さは、０.１ｍｍ〜０.５５ｍｍの範囲が望ましいと言える。
【００２５】
上述の如く本発明に係るスライド式携帯電話機によれば、シールドシャーシ(６)の表面に絶縁シート(７)を貼着固定するだけの簡易な構成で、従来のスライド式携帯電話機で発生していたアンテナ特性の劣化を効果的に抑制し、所期のアンテナ特性を得ることが出来る。
【００２６】
尚、本発明の各部構成は上記実施の形態に限らず、特許請求の範囲に記載の技術的範囲内で種々の変形が可能である。
又、本発明は、スライド式携帯電話機に限らず、単一のシーケングを具えた携帯電話機や折り畳み式携帯電話機に実施することも可能である。
【図面の簡単な説明】
【００２７】
【図１】スライド式携帯電話機の斜視図である。
【図２】該スライド式携帯電話機を他の方向から見た斜視図である。
【図３】本発明に係るスライド式携帯電話機のスライド前後の状態を示す拡大断面図である。
【図４】アンテナ特性の測定によって得られたアンテナ放射パターンを示す図である。
【図５】従来のスライド式携帯電話機のスライド前後の状態を示す拡大断面図である。
【図６】フレキシブルリードシートの積層構造を示す拡大断面図である。
【符号の説明】
【００２８】
(１)  第１筐体
(２)  第２筐体
(３)  回路基板
(４)  回路基板
(５)  フレキシブルリードシート
(６)  シールドシャーシ
(７)  絶縁シート
【図１】
2006115048.tif 000004
【図２】
2006115048.tif 000005
【図３】
2006115048.tif 000006
【図４】
2006115048.tif 000007
【図５】
2006115048.tif 000008
【図６】
2006115048.tif 000009